(57)【要約】【課題】  インターネット接続サービス提供個所やエリアの情報等を他の携帯型無線端末機器からダウンロードできる携帯型無線端末機器を提供する。【解決手段】  無線ネットワークに接続するネットワーク接続手段１２と、  分散型データベースとしての情報を記憶する分散データ記憶手段１３と、を備えた携帯型無線端末機器であって、前記ネットワーク接続手段は、自己端末機器から入力された検索情報または他端末機器から受信した検索情報に基づき、自己端末機器の前記分散データ記憶手段内のデータを検索し、または他端末機器にアクセスする機能を備える。【選択図】    図１
2006245734.tif 000002
【特許請求の範囲】
【請求項１】
無線ネットワークに接続するネットワーク接続手段と、
分散型データベースとしての情報を記憶する分散データ記憶手段と、
を備えた携帯型無線端末機器であって、
前記ネットワーク接続手段は、自己端末機器から入力された検索情報または他端末機器から受信した検索情報に基づき、自己端末機器の前記分散データ記憶手段内のデータを検索し、検索結果を最上流の検索情報発行元に送信しまたは前記検索情報を他端末機器に送信する機能を備えたことを特徴とする携帯型無線端末機器。
【請求項２】
前記検索情報は、検索キーおよび当該検索情報が作成された端末機器のＩＤ情報を含むことを特徴とする請求項１に記載の携帯型無線端末機器。
【請求項３】
前記検索情報は、複数の端末機器を中継して転送されたときは、中継した前記端末機器の経路履歴情報を含むことを特徴とする請求項１または２に記載の携帯型無線端末機器。
【請求項４】
前記分散データ記憶手段は、前記分散型データベースの情報を独立利用が可能な単位で記憶することを特徴とする請求項１から３の何れかに記載の携帯型無線端末機器。
【請求項５】
前記分散データ記憶手段に記憶される情報は、
携帯型無線端末機器が存在する地域に依存する情報、
であることを特徴とする請求項１から４の何れかに記載の携帯型無線端末機器。
【請求項６】
さらに、アクセス履歴記憶手段を備え、
前記アクセス履歴記憶手段は、他の携帯型無線端末機器の分散データ記憶手段から検索結果情報の提供を受けたとき、自己の分散データ記憶手段から他の携帯型無線端末機器に検索結果情報を提供したとき、または前記検索結果情報を受信し他の携帯型無線端末機器に送信したときはその履歴を、所定のホスト装置に前記無線を利用して通知することを特徴とする請求項１から５の何れかに記載の携帯型無線端末機器。
【請求項７】
前記分散データ記憶手段に記憶される情報は、
他の携帯型無線端末機器からダウンロードされ、または、外部機器から有線または無線によりダウンロードされることを特徴とする請求項１から６の何れかに記載の携帯型無線端末機器。
【請求項８】
さらに、自己位置認識装置およびファイル削除装置を備え、
前記自己位置認識装置が自己端末機器が所定の地域外にあると認識したときは、ファイル削除装置は当該地域に依存する情報を削除することを特徴とする請求項１から７の何れかに記載の携帯型無線端末機器。
【請求項９】
前記携帯型無線端末機器は電話機能を備えたことを特徴とする請求項１から８の何れかに記載の携帯型無線端末機器。
【請求項１０】
前記分散データ記憶手段に記憶される情報は、ホスト装置から前記電話機能を利用してダウンロードされることを特徴とする請求項９に記載の携帯型無線端末機器。
【請求項１１】
さらに、アクセス履歴記憶手段を備え、前記アクセス履歴記憶手段は、他の携帯型無線端末機器の分散データ記憶手段から検索結果情報の提供を受けたとき、自己の分散データ記憶手段から他の携帯型無線端末機器に検索結果情報を提供したとき、または前記検索結果情報を受信し他の携帯型無線端末機器に送信したときはその履歴を、所定のホスト装置に前記電話機能を利用して通知することを特徴とする請求項９または１１に記載の携帯型無線端末機器。
【発明の詳細な説明】
【技術分野】
【０００１】
本発明は、分散型データベースとしての情報を記憶する分散データ記憶手段を備えた携帯型無線端末機器に関し、インターネット接続サービス提供個所やエリアの情報等を他の携帯型無線端末機器からダウンロードできる携帯型無線端末機器に関する。
【背景技術】
【０００２】
携帯型電話機のユーザは、自己が存在する地域に依存する情報、たとえば、特定の商品やサービスを提供している店舗等の情報を取得したいときがある。
【０００３】
一般に、携帯型電話機は、ウェブブラウザ、電子メーラ等のインターネット利用プログラムを搭載している。したがって、上記の場合には、前記ユーザは、携帯型電話機の通話機能を利用して（通話回線を利用して）、インターネット上のサーチエンジン（ポータルサイト）にアクセスし、上記の店舗等の検索を行うことができる。
【０００４】
ところが、携帯型電話機の通話回線は通信速度が低いうえ、一般には通信時間には通話料金が課せられる。携帯型電話機には、通話機能の他、無線ネットワーク（アドホックネットワーク等）に接続できる機能を搭載したものもある。この機能を使用することで、ユーザは無料またはきわめて低価格でインターネットにアクセスすることができる。
【０００５】
携帯型電話機のユーザは、インターネット接続サービス提供個所またはエリア（「ホットスポット」と称される）から、無線ネットワークにより、または有線回線によりインターネットに接続することができる。
【発明の開示】
【発明が解決しようとする課題】
【０００６】
ところで、ホットスポットは、身近にはないのが通常であり、特定の商品やサービスを提供している店舗等の情報（ホットスポットの存在場所の情報を含む）を取得したいときには、通信速度が低くかつ高価格の通話回線によりインターネット上のサーチエンジンにアクセスして店舗等の検索を行うことになる。
【０００７】
本発明の目的は、インターネット接続サービス提供個所やエリアの情報等を他の携帯型無線端末機器からダウンロードできる携帯型無線端末機器を提供することにある。
【課題を解決するための手段】
【０００８】
本発明の携帯型無線端末機器は、無線ネットワーク（アドホックネットワークおよび／または無線ＬＡＮ：基地局を持つ無線ＬＡＮまたは基地局を持たない無線ＬＡＮ）に接続するネットワーク接続手段と、
分散型データベースとしての情報を記憶する分散データ記憶手段と、
を備えたものであって、
前記ネットワーク接続手段は、自己端末機器から入力された検索情報または他端末機器から受信した検索情報に基づき、自己端末機器の前記分散データ記憶手段内のデータを検索し、検索結果を検索情報発行元に送信しまたは前記検索情報を他端末機器に送信する機能を備えたことを特徴とする。
本発明の携帯型無線端末機器では、前記検索情報は、検索キーおよび当該検索情報が作成された端末機器のＩＤ情報を含むことができる。
【０００９】
本発明の携帯型無線端末機器では、前記検索情報は、複数の端末機器を中継して転送されたときは、中継した前記端末機器の経路履歴情報を含むことができる。
本発明の携帯型無線端末機器では、前記分散データ記憶手段は、前記分散型データベースの情報を独立利用が可能な単位で記憶することができる。
本発明の携帯型無線端末機器では、前記分散データ記憶手段に記憶される情報を、携帯型無線端末機器が存在する地域に依存する情報とすることができる。
【００１０】
本発明の携帯型無線端末機器では、さらに、アクセス履歴記憶手段を備え、
前記アクセス履歴記憶手段は、他の携帯型無線端末機器の分散データ記憶手段から検索結果情報の提供を受けたとき、自己の分散データ記憶手段から他の携帯型無線端末機器に検索結果情報を提供したとき、または前記検索結果情報を受信し他の携帯型無線端末機器に送信したときはその履歴を、所定のホスト装置に前記無線を利用して通知することができる。
【００１１】
本発明の携帯型無線端末機器では、前記分散データ記憶手段に記憶される情報は、他の携帯型無線端末機器からダウンロードされ、または、外部機器から有線または無線（赤外線通信等）によりダウンロードされるように構成できる。
本発明の携帯型無線端末機器では、自己位置認識装置およびファイル削除装置を備えることができ、
前記自己位置認識装置が自己端末機器が所定の地域外にあると認識したときは、前記ファイル削除装置は当該地域に依存する情報を削除することができる。
本発明の携帯型無線端末機器では、前記携帯型無線端末機器は電話機能を備えることができる。
【００１２】
本発明の携帯型無線端末機器では、前記分散データ記憶手段に記憶される情報は、ホスト装置から前記電話機能を利用してダウンロードされるように構成できる。
【００１３】
本発明の携帯型無線端末機器では、さらに、アクセス履歴記憶手段を備え、前記アクセス履歴記憶手段は、他の携帯型無線端末機器の分散データ記憶手段から検索結果情報の提供を受けたとき、自己の分散データ記憶手段から他の携帯型無線端末機器に検索結果情報を提供したとき、または前記検索結果情報を受信し他の携帯型無線端末機器に送信したときはその履歴を、所定のホスト装置に前記電話機能を利用して通知することができる。
【発明の効果】
【００１４】
本発明によれば、種々の情報、たとえば特定の種類の店舗（飲食店、被服店等）の位置情報、インターネット接続サービス提供個所等の地域に依存する情報を複数の携帯型無線端末機器に分散して記憶させておくことができる。したがって、携帯型無線端末機器のユーザは、当該情報を、他の携帯型無線端末機器から、無料、ないし低価格で取得することができる。
また、天災・地変等の災害時に、電話回線が不通となったような場合でも、ホスト装置が携帯型無線端末機器の情報を書き換えることができる。
【発明を実施するための最良の形態】
【００１５】
図１は、本発明の携帯型無線端末機器の機能ブロック図である。図１において、携帯型無線端末機器１Ａ，１Ｂは、携帯型電話機であり（すなわち、電話機能を備えており）電話手段１１と、ネットワーク接続手段１２と、分散データ記憶手段１３と、アクセス履歴記憶手段１４とを備えている。
【００１６】
電話手段１１は、アンテナＡＮＴ１により基地局３を介して携帯電話回線に接続できる。
ネットワーク接続手段１２は、アンテナＡＮＴ２によりアドホックネットワークや無線ＬＡＮに接続する機能を備えている。アドホックネットワークでは、基地局等の通信設備は不要である。無線ＬＡＮでは基地局等の設備が備えられている。図１では、携帯型無線端末機器１Ａ，１Ｂは、アドホックネットワークに対応の無線通信機器として示してある。なお、本実施形態では、アドホックネットワークおよび無線ＬＡＮを含めて、単に「無線ＬＡＮ」と称する。
【００１７】
分散データ記憶手段１３は、分散型データベースとしての情報を一部記憶している。この分散データ記憶手段１３には、情報が独立利用可能な単位で記憶されている。この情報は、携帯型無線端末機器が存在する地域に依存する情報（たとえば、インターネット接続サービス提供個所やエリアの情報）である。この情報は、たとえば地図および位置情報のセットとすることができる。位置情報は、ＪＰＥＧ等の地図ファイルに埋め込むことができ、検索に際してはこのファイルに埋め込まれた情報を参照して検索が行われる。
【００１８】
分散データ記憶手段１３に記憶される情報は、携帯型無線端末機器が無線ＬＡＮの接続できる機能を備えるときは、ホスト装置２から図示しない無線ネットワークの基地局を介してダウンロードすることもできるし、図１に示すように、ホスト装置２から電話機能を利用して（すなわち、携帯型電話回線を介して）ダウンロードすることもできる。
【００１９】
アクセス履歴記憶手段１４は、他の携帯型無線端末機器の分散データ記憶手段１３からホットスポットの地図等の検索結果情報ＲＳＬＴｉｎｆ（検索ができたときの検索結果情報）の提供を受けたとき、自己の分散データ記憶手段１３から他の携帯型無線端末機器にホットスポットの地図等の検索結果情報を提供したとき、あるいはさらにホットスポットの地図等の検索結果情報ＲＳＬＴｉｎｆ（検索ができたときの検索結果情報）を中継したときはその履歴ＨＳＴＲＹをホスト装置２に送信する。
【００２０】
図２には、図１の携帯型無線端末機器１Ａ，１Ｂと同様の構成の携帯型無線端末機器１Ａ〜１Ｅが、無線ネットワークによりリンクしている様子が示されている。携帯型無線端末機器１Ａ〜１Ｅの記憶手段１４には、分散型データベースとしての情報ＤＢｅｙｙｙ１〜ＤＢｅｙｙｙ５がそれぞれ記憶されている。
【００２１】
本実施形態では、情報ＤＢｅｙｙｙ１〜ＤＢｅｙｙｙ５は自己の意思とは無関係に、通話回線を介してホスト装置からダウンロードされる。携帯型無線端末機器１Ａ〜１Ｅは、それぞれ無線ネットワークの通信エリアＡＡ４〜ＡＡ５を形成しており、携帯型無線端末機器１Ａは携帯型無線端末機器１Ｂ，１Ｅと通信でき、携帯型無線端末機器１Ｂは携帯型無線端末機器１Ａ，１Ｃと通信でき、携帯型無線端末機器１Ｃは携帯型無線端末機器１Ｂ，１Ｄと通信できる。また、携帯型無線端末機器１Ｄは携帯型無線端末機器１Ｃと通信でき、携帯型無線端末機器１Ｅは携帯型無線端末機器１Ａと通信できる。
【００２２】
以下、携帯型無線端末機器が、ホットスポットが存在する場所を検索する場合について説明する。
本実施形態では、図２において、携帯型無線端末機器１Ａが、現在位置から所定のホットスポットの地図を検索する場合を例に説明する。
【００２３】
携帯型無線端末機器１Ａ〜１Ｅは、自己の位置情報（基地局３の位置）をホスト装置２に送信している。したがって、ホスト装置１は携帯型無線端末機器１Ａ〜１Ｅの存在場所を知ることができる。
【００２４】
ホスト装置１は、所定の地域に存在する携帯型無線端末機器に、ホットスポットの分散型データベース情報ＤＢＩ（本実施形態では、ホットスポットの地図）を適時にアップロードしている。言い換えると、携帯型無線端末機器１Ａ〜１Ｅの立場からは、ホスト装置１から分散型データベース情報ＤＢＩのうちの一部をそれぞれがダウンロードしている。たとえば、ホスト装置２は、分散型データベース情報ＤＢＩを複数に分割しており、あるセル（ある基地局がカバーするエリア）に存在する携帯型無線端末機器に分割した情報の何れかを割り当ててある。
【００２５】
携帯型無線端末機器には、図３（Ａ）に示すようなメニューを表示する検索用のアプリケーションが搭載されており、検索に際しては当該アプリケーションが起動され検索が実行される。
【００２６】
図４のフローチャートに参照されるように、携帯型無線端末機器１Ａが、図３（Ａ）に示すホットスポットとして「喫茶店」を指定し（すなわち、検索情報ＳＲＣｉｎｆを設定し）、検索を実行するものとする（Ｓ１０１，Ｓ１０２）。
【００２７】
この場合、検索情報ＳＲＣｉｎｆは、図３（Ｂ）に示すように、検索キーＳＲＣＫおよび当該検索情報が作成された携帯型無線端末機器のＩＤ（図２では、ＩＤ：ＸＸＸ１，ＸＸＸ２，・・・，ＸＸＸ５で示す）、時間情報ＴＩＭ、ホップ数情報ＨＮを含む。なお、検索情報ＳＲＣｉｎｆには検索情報ＳＲＣｉｎｆを中継する携帯型無線端末機器（中継携帯型無線端末機器）のＩＤも含まれる。検索情報が作成された携帯型無線端末機器のＩＤ、および検索情報ＳＲＣｉｎｆを中継する携帯型無線端末機器（中継携帯型無線端末機器）のＩＤは、ＩＤ履歴情報ＴＭＮＬＩＤとして、検索情報ＳＲＣｉｎｆに含まれる。
【００２８】
次に、分散データ記憶手段１３に自己端末に検索キーＳＲＣＫに符合する情報があるかか否かを判断し（Ｓ１０３）、検索キーＳＲＣＫに符合する情報があるときは（Ｓ１０３の「ＹＥＳ」）、検索結果情報ＲＳＬＴｉｎｆの内容を自己端末機器のディスプレイに表示する（Ｓ１０４）。
【００２９】
Ｓ１０３において検索キーＳＲＣＫに符合する情報がないときは（Ｓ１０３の「ＮＯ」）、周囲の携帯型無線端末機器をサーチする（Ｓ１０５）。周囲に他端末機器があるときは（Ｓ１０６の「ＹＥＳ」）、該当する端末機器に検索情報ＳＲＣｉｎｆを送信する。検索情報ＳＲＣｉｎｆのＩＤ履歴情報ＴＭＮＬＩＤには、自己の携帯型無線端末機器のＩＤを最上流のＩＤとして書き込む。
【００３０】
図２では、携帯型無線端末機器１Ａは、周囲に携帯型無線端末機器１Ｂ，１Ｅがあるので、これらに検索情報ＳＲＣｉｎｆを送信する。Ｓ１０６の判断において、周囲に他の携帯型無線端末機器がないときは（Ｓ１０６の「ＮＯ」）処理を終了するようにもできるが、本実施形態では、インターネットのサーチエンジンによる検索を行うか否かのメニューをディスプレイに表示する（Ｓ１０８）。ユーザが検索を行わないとき（Ｓ１０８の「ＮＯ」）は、処理は終了するが、検索を行なうとき（Ｓ１０８の「ＹＥＳ」）は、検索が行われ（Ｓ１０９）、検索結果情報ＲＳＬＴｉｎｆの内容（目的物が検索できたときおよび検索できなかったときの双方を含む）が当該ディスプレイに表示される（Ｓ１１０）。
【００３１】
図５のフローチャートに参照されるように、携帯型無線端末機器が検索情報ＳＲＣｉｎｆを受信したときは（Ｓ２０１）、分散データ記憶手段１３に検索キーＳＲＣＫに符合する情報があるか否かをチェックし（Ｓ２０２）、検索キーＳＲＣＫに符合する情報があるときは（Ｓ２０３の「ＹＥＳ」）、上流の携帯型無線端末機器に検索結果情報ＲＳＬＴｉｎｆを送信する（Ｓ２０４）。この場合には、検索情報ＳＲＣｉｎｆを受信した携帯型無線端末機器が、ターミナル（最下流）の携帯型無線端末機器となる。
【００３２】
Ｓ２０３において検索キーＳＲＣＫに符合する情報がないときは（Ｓ２０３の「ＮＯ」）、時間情報ＴＩＭに基づきタイムアウトか否かをチェックする（Ｓ２０５）。タイムアウトの場合には（Ｓ２０５の「ＹＥＳ」）、「検索せず」の情報を検索結果情報ＲＳＬＴｉｎｆとして上流の携帯型端末機器に送信する（Ｓ２０４）。
【００３３】
Ｓ２０５においてタイムアウトでない場合には（Ｓ２０５の「ＮＯ」）、ホップ数情報ＨＮに基づきホップ数が所定数に達しているか否かをチェックする（Ｓ２０６）。ホップ数が所定数（たとえば、「６」，「７」等）に達している場合にも（Ｓ２０６の「ＹＥＳ」）、「検索せず」の情報を検索結果として上流の携帯型端末機器に送信する（Ｓ２０４）。Ｓ２０６においてホップ数が所定数に達していない場合には（Ｓ２０６の「ＮＯ」）、周囲の携帯型無線端末機器をサーチする（Ｓ２０７）。周囲に他の携帯型無線端末機器がないときは（Ｓ２０８の「ＮＯ」）、「検索不能」の情報を検索結果情報ＲＳＬＴｉｎｆとして上流の携帯型無線端末機器に送信する（Ｓ２０９）。
【００３４】
Ｓ２０７のサーチにおいて他端末機器があるときは（Ｓ２０８の「ＹＥＳ」）、他端末機器に検索情報ＳＲＣｉｎｆを送信する（Ｓ２０９）。この検索情報ＳＲＣｉｎｆのＩＤ履歴情報ＴＭＮＬＩＤには、自己の携帯型無線端末機器ＩＤを追加する。
【００３５】
図２の例では、タイムアウトとなる前に検索が行われ、ホップ数の上限値は「６」であるものとする。携帯型無線端末機器１Ｂおよび１Ｅの分散データ記憶手段１３には検索キーＳＲＣＫに符合する情報がないものとする。
携帯型無線端末機器１Ｅは、携帯型無線端末機器１Ａから検索情報を受信した場合、周囲には他端末がないので処理を終了する。携帯型無線端末機器１Ｂは、携帯型無線端末機器１Ａから検索情報を受信した場合、周囲に携帯型無線端末機器１Ｃがあるので携帯型無線端末機器１Ｃに検索情報ＳＲＣｉｎｆを送信する（Ｓ２０７）。
【００３６】
図２の例で、携帯型無線端末機器１Ｃが、検索情報ＳＲＣｉｎｆを受信するが携帯型無線端末機器１Ｃの分散データ記憶手段１３には、検索キーＳＲＣＫに符合する情報がないものとする。また、携帯型無線端末機器１Ｃは、携帯型無線端末機器１Ａから検索情報を受信した場合、周囲に携帯型無線端末機器１Ｄがあるので携帯型無線端末機器１Ｃに検索情報ＳＲＣｉｎｆを送信する。
【００３７】
図２の例で、携帯型無線端末機器１Ｄが、検索情報ＳＲＣｉｎｆを受信し、検索を行い、分散データ記憶手段１３に検索情報ＳＲＣｉｎｆに符合する情報が検出されたものとする。この場合には携帯型無線端末機器１Ｄは、上流の携帯型無線端末機器１Ｃに検索結果情報ＲＳＬＴｉｎｆを送信する。
【００３８】
図６のフローチャートに参照されるように、携帯型無線端末機器は、検索結果情報（ＲＳＬＴｉｎｆ，ＴＭＮＬＩＤ）を受信すると（Ｓ３０１）、検索結果情報ＴＭＮＬＩＤに基づき、自己端末のＩＤがＴＭＮＬＩＤに書き込まれている最上流の携帯型無線端末機器のＩＤ（検索情報ＳＲＣｉｎｆを発行した携帯型無線端末機器のＩＤ）と一致するか否かを判断する（Ｓ３０２）。自己端末が最上流の携帯型無線端末機器であるかを認識できるのであれば、その手法は上記に限定されない。
【００３９】
最上流の携帯型無線端末機器のＩＤが、自己の携帯型無線端末機器のＩＤと一致する場合には（Ｓ３０２の「ＹＥＳ」）、既に検索結果情報（ＲＳＬＴｉｎｆ）を受信しているか否かを判断し（Ｓ３０３）、受信しているときは（Ｓ３０３の「ＹＥＳ」）処理を終了し、まだ受信していないときは（Ｓ３０３の「ＮＯ」）、検索結果（ＲＳＬＴｉｎｆ：ホットスポットの地図）を表示し（Ｓ３０４）処理を終了する。
【００４０】
携帯型無線端末機器は、Ｓ３０２において、自己のＩＤが最上流の携帯型無線端末機器のＩＤと一致しない場合には（Ｓ３０２の「ＮＯ」）、上流の携帯型無線端末機器にアクセスが可能であるか否かをチェックし（Ｓ３０５）、アクセスできないとき（Ｓ３０５の「ＮＯ」）は処理を終了する。
【００４１】
Ｓ３０５において、上流の携帯型無線端末機器にアクセスが可能であるときは、当該端末機器に検索結果情報ＲＳＬＴｉｎｆを送信する。
【００４２】
図２の例では、携帯型無線端末機器１Ｄからの検索結果情報ＲＳＬＴｉｎｆは、中継端末機器（携帯型無線端末機器１Ｃ，１Ｂ）を経由して送信元（携帯型無線端末機器１Ａ）送信される。
【００４３】
なお、本発明では、各携帯型無線端末機器には、ユーザの意思とは無関係に分散型データベースの情報が蓄積され、これが他端末機器により利用される。したがって、情報を提供した携帯型無線端末機器は、履歴（ログ）を保存しておき、これをホスト装置２に適時に送信することができる。この履歴の送信により情報を提供した携帯型無線端末機器のユーザは、所定の有価ポイントを取得できる等の利益を享受することができる。また、ホスト装置２が、検索を行った携帯型無線端末機器から履歴を取得し、当該携帯型無線端末機器のユーザから低額の利用料金を取得するようにもできる。
【００４４】
また、本発明では、携帯型無線端末機器にＧＰＳ端末を備えている場合や、基地局から自己の位置を知ることができる場合（すなわち、自己位置認識装置を備えている場合）において、所定の地域外に自己端末が移動したときは、当該所定の地域に依存する情報（当該所定の地域におけるホットスポット等の地図情報等）を自己位置認識装置により削除することができる。
【００４５】
具体的には、図７に示すように、携帯型無線端末機器は位置情報を取得すると（Ｓ４０１）、
自己の分散データ記憶手段１３の情報を検索し（Ｓ４０２）、自己が属する地域に無関係な情報がないとき（Ｓ４０３の「ＮＯ」）は処理を終了し、自己が属する地域に無関係な情報があるとき（Ｓ４０３の「ＹＥＳ」）は、該当情報を削除して（Ｓ４０４）処理を終了する。なお、他の携帯型無線端末機器を検索し、その端末機器が自己が属する地域に無関係な情報を記憶するべき位置に存在している場合には、当該端末機器にその情報を転送するようにしてもよい。
【図面の簡単な説明】
【００４６】
【図１】図１は、本発明の携帯型無線端末機器の機能ブロック図である。
【図２】図１の携帯型無線端末機器と同様の構成の携帯型無線端末機器が、無線ネットワークによりリンクしている様子を示す図である。
【図３】（Ａ）は携帯型無線端末機器の検索メニューを示す図、（Ｂ）は検索情報ＳＲＣｉｎｆの内容を示す図である。
【図４】検索を行う携帯型無線端末機器の処理を示すフローチャートである。
【図５】検索情報を受信した携帯型無線端末機器の処理を示すフローチャートである。
【図６】検索結果を受信した携帯型無線端末機器の処理を示すフローチャートである。
【図７】自己の携帯型無線端末機器に不要な情報を削除する処理を示すフローチャートである。
【符号の説明】
【００４７】
１Ａ〜１Ｅ  携帯型無線端末機器
１１  電話手段
１２  ネットワーク接続手段
１３  分散データ記憶手段
１４  アクセス履歴記憶手段
【図１】
2006245734.tif 000003
【図２】
2006245734.tif 000004
【図４】
2006245734.tif 000005
【図５】
2006245734.tif 000006
【図６】
2006245734.tif 000007
【図７】
2006245734.tif 000008
【図３】
2006245734.tif 000009